(57)【特許請求の範囲】
【請求項１】
ネットワークに接続された複数の端末装置が、各端末装置に付与されたアドレス情報に基づいて互いにコネクションレス型のプロトコルを用いた通信を行うネットワークシステムにおいて、
複数の端末装置のうち少なくとも１台は、制御対象として制御情報を与えられることによりサービスを提供するサービス提供機能部と、サービス提供機能部が提供するサービスに対応する制御情報を定義した入出力定義を１乃至複数具備して当該入出力定義に定義されている前記制御情報をサービス提供機能部に与える処理を実行するための１乃至複数のオブジェクトを有し、各オブジェクトに付与された付与識別子を用いた実行要求を受け取った場合、当該オブジェクトを実行することによって制御情報をサービス提供機能部に与える情報処理部とを備える設備機器であり、
複数の端末装置のうち少なくとも１台は、オブジェクトの付与識別子と設備機器のアドレス情報との対応関係を設備機器から収集する収集機能部と、収集した付与識別子とアドレス情報との対応関係を記憶する記憶部とを備え、
複数の端末装置のうち少なくとも１台は、設備機器に対して実行要求を行うサービス要求機能部を備え、当該サービス要求機能部は、記憶部を参照して、実行要求に用いる付与識別子に対応するアドレス情報に基づいた実行要求を行い、
付与識別子は、各オブジェクトに固有に付与されたオブジェクト固有識別子と、当該オブジェクトが具備する入出力定義に付与された１乃至複数のインターフェース識別子とで構成され、同一のオブジェクト固有識別子を複数のオブジェクトに割り当てることができる
ことを特徴とするネットワークシステム。
【請求項２】
前記収集機能部は、オブジェクトの付与識別子と設備機器のアドレス情報との対応関係を設備機器から定期的に収集し、前記記憶部に記憶している前記対応関係を定期的に更新することを特徴とする請求項１記載のネットワークシステム。
【請求項３】
前記設備機器は、起動時に、当該設備機器が有するオブジェクトの付与識別子を当該設備機器のアドレス情報とともに、前記記憶部を有する他の端末装置へ通知し、当該他の端末装置は、通知されたオブジェクトの付与識別子と設備機器のアドレス情報との対応関係を前記収集機能部によって取得し、記憶部内の前記対応関係を更新することを特徴とする請求項１または２記載のネットワークシステム。
【請求項４】
前記設備機器は、当該設備機器が有するオブジェクトの付与識別子を当該設備機器のアドレス情報とともに、前記記憶部を有する他の端末装置へ定期的に通知し、当該他の端末装置は、通知されたオブジェクトの付与識別子と設備機器のアドレス情報との対応関係を前記収集機能部によって取得し、記憶部内の前記対応関係を更新することを特徴とする請求項１または３記載のネットワークシステム。
【請求項５】
前記サービス要求機能部は、前記設備機器に対して実行要求を行う場合、当該実行要求に用いる付与識別子に対応するアドレス情報が前記記憶部に記憶されていなければ、前記収集機能部によって、オブジェクトの付与識別子と設備機器のアドレス情報との対応関係を設備機器から収集して、収集した付与識別子とアドレス情報との対応関係を前記記憶部に記憶させ、当該実行要求に用いる付与識別子に対応するアドレス情報が前記記憶部に記憶されていれば、当該アドレス情報に基づいた実行要求を行うことを特徴とする請求項１乃至４いずれか記載のネットワークシステム。
【請求項６】
前記サービス要求機能部は、前記記憶部に記憶されているアドレス情報に基づいて設備機器に対して実行要求を行った場合に、要求先の設備機器にアクセスできなければ、当該アドレス情報を含む前記対応関係を記憶部から削除し、次に、前記収集機能部は、オブジェクトの付与識別子と設備機器のアドレス情報との対応関係を設備機器から収集することを特徴とする請求項１乃至５いずれか記載のネットワークシステム。
【請求項７】
前記記憶部を備えた端末装置は、記憶部内の前記対応関係が変更された場合、当該変更された対応関係を他の端末装置へ通知し、記憶部を備えた他の端末装置は、記憶部内の対応関係を当該変更された対応関係に更新することを特徴とする請求項１乃至６いずれか記載のネットワークシステム。
【請求項８】
前記ネットワークは、複数のセグメントを有する構成であり、前記収集機能部は、同一セグメント上の設備機器からオブジェクトの付与識別子と設備機器のアドレス情報との対応関係を収集する際には、同一セグメント上の設備機器にマルチキャストによってアクセスし、異なるセグメント上の設備機器からオブジェクトの付与識別子と設備機器のアドレス情報との対応関係を収集する際には、異なるセグメント上の設備機器にユニキャストによってアクセスすることを特徴とする請求項１乃至７いずれか記載のネットワークシステム。
【請求項９】
前記記憶部は、記憶している前記対応関係のうち、通信に用いた最新の時点から一定時間が経過したアドレス情報を含む対応関係を記憶部から削除することを特徴とする請求項１乃至８いずれか記載のネットワークシステム。
【請求項１０】
前記記憶部は、異なる付与識別子毎にアドレス情報を割り付けた前記対応関係を記憶することを特徴とする請求項１乃至９いずれか記載のネットワークシステム。
【請求項１１】
前記記憶部は、１つのオブジェクト固有識別子に対して１つのアドレス情報のみが対応している場合、オブジェクト固有識別子にアドレス情報のみを割り付けた前記対応関係を記憶し、１つのオブジェクト固有識別子に対して複数のアドレス情報が対応している場合、対応するインターフェース識別子の数が最も多いアドレス情報を含む前記対応関係は、オブジェクト固有識別子に当該アドレス情報のみを割り付けて記憶し、他のアドレス情報を含む前記対応関係は、オブジェクト固有識別子にインターフェース識別子および当該アドレス情報を割り付けて記憶することを特徴とする請求項１乃至９いずれか記載のネットワークシステム。
【発明の詳細な説明】
【技術分野】
【０００１】
本発明は、コネクションレス型のプロトコルを用いた通信を行うネットワークシステムに関するものである。
【背景技術】
【０００２】
従来、照明制御または照明監視をサービスとして提供する照明装置、空調制御または空調監視をサービスとして提供する空調装置、施錠制御または施錠監視をサービスとして提供する施錠装置等のように、各種サービスを提供する設備機器が、ネットワークを介して互いに接続されたネットワークシステムがある（例えば、特許文献１参照）。
【０００３】
各設備機器は、各サービスを実行するための１乃至複数のオブジェクトを有しており、各オブジェクトに付与された付与識別子を用いた実行要求を受け取った場合に、当該オブジェクトを実行することによって、各種サービスに対応した動作を行う。
【特許文献１】特開平９−１３９７４２号公報
【発明の開示】
【発明が解決しようとする課題】
【０００４】
上述のネットワークシステムでは、イベント発生時に設備機器が他の設備機器へ実行要求を送信したり、ネットワークに接続されたクライアント端末が特定の設備機器に実行要求を送信するが、この実行要求は、各設備機器と、各設備機器が有するオブジェクトに付与された付与識別子との対応関係に基づいて行われる。すなわち、実行要求を行う設備機器、クライアント端末は、設備機器と付与識別子との対応関係を参照しながら、特定の設備機器に特定のサービスを実行させるのである。
【０００５】
そして、このようなネットワークシステムでコネクション型のプロトコルを用いて通信を行えば、例えばゲートウェイが全ての端末装置のアドレス情報や接続情報を常に把握しており、端末装置の追加、削除、アドレス変更を反映させた通信の制御、管理が可能となる。
【０００６】
しかし、コネクション型のプロトコルによる接続情報を用いて上記対応付けを行った場合、各端末装置は、通信に先立ってコネクション（通信相手との経路）を確立し、さらにゲートウェイにおいては配下の全ての端末装置とコネクションを維持しなければならず、通信には大きなリソースが必要となっていた。
【０００７】
一方、コネクションレス型の通信を用いた場合は、通信に必要なリソースが少なくなるが、端末装置の追加、削除、アドレス変更を反映させた通信の制御、管理を行うことが難しく、設備機器と付与識別子との対応付けを用いる通信には適していなかった。
【０００８】
本発明は、上記事由に鑑みてなされたものであり、その目的は、設備機器と付与識別子との対応付けを用いる通信に必要なリソースを低減できるネットワークシステムを提供することにある。
【課題を解決するための手段】
【０００９】
請求項１の発明は、ネットワークに接続された複数の端末装置が、各端末装置に付与されたアドレス情報に基づいて互いにコネクションレス型のプロトコルを用いた通信を行うネットワークシステムにおいて、複数の端末装置のうち少なくとも１台は、制御対象として制御情報を与えられることによりサービスを提供するサービス提供機能部と、サービス提供機能部が提供するサービスに対応する制御情報を定義した入出力定義を１乃至複数具備して当該入出力定義に定義されている前記制御情報をサービス提供機能部に与える処理を実行するための１乃至複数のオブジェクトを有し、各オブジェクトに付与された付与識別子を用いた実行要求を受け取った場合、当該オブジェクトを実行することによって制御情報をサービス提供機能部に与える情報処理部とを備える設備機器であり、複数の端末装置のうち少なくとも１台は、オブジェクトの付与識別子と設備機器のアドレス情報との対応関係を設備機器から収集する収集機能部と、収集した付与識別子とアドレス情報との対応関係を記憶する記憶部とを備え、複数の端末装置のうち少なくとも１台は、設備機器に対して実行要求を行うサービス要求機能部を備え、当該サービス要求機能部は、記憶部を参照して、実行要求に用いる付与識別子に対応するアドレス情報に基づいた実行要求を行い、付与識別子は、各オブジェクトに固有に付与されたオブジェクト固有識別子と、当該オブジェクトが具備する入出力定義に付与された１乃至複数のインターフェース識別子とで構成され、同一のオブジェクト固有識別子を複数のオブジェクトに割り当てることができることを特徴とする。
【００１０】
この発明によれば、コネクションを維持することなく、設備機器と付与識別子との対応付けを行うことができ、設備機器と付与識別子との対応付けを用いる通信に必要なリソースを低減できる
請求項２の発明は、請求項１において、前記収集機能部は、オブジェクトの付与識別子と設備機器のアドレス情報との対応関係を設備機器から定期的に収集し、前記記憶部に記憶している前記対応関係を定期的に更新することを特徴とする。
【００１１】
この発明によれば、記憶部内の対応関係を最新の情報に定期的に更新し、実行要求時のエラー発生を低減させることができる。
【００１２】
請求項３の発明は、請求項１または２において、前記設備機器は、起動時に、当該設備機器が有するオブジェクトの付与識別子を当該設備機器のアドレス情報とともに、前記記憶部を有する他の端末装置へ通知し、当該他の端末装置は、通知されたオブジェクトの付与識別子と設備機器のアドレス情報との対応関係を前記収集機能部によって取得し、記憶部内の前記対応関係を更新することを特徴とする。
【００１３】
この発明によれば、ネットワークに設備機器が新規に追加された場合に、既設の端末装置が専用の処理を行うことなく、新規に追加された設備機器の情報を記憶部内の対応関係に反映し、実行要求時のエラー発生を低減させることができる。
【００１４】
請求項４の発明は、請求項１または３において、前記設備機器は、当該設備機器が有するオブジェクトの付与識別子を当該設備機器のアドレス情報とともに、前記記憶部を有する他の端末装置へ定期的に通知し、当該他の端末装置は、通知されたオブジェクトの付与識別子と設備機器のアドレス情報との対応関係を前記収集機能部によって取得し、記憶部内の前記対応関係を更新することを特徴とする。
【００１５】
この発明によれば、記憶部を備える端末装置が能動的に更新処理を行うことなく、記憶部内の対応関係を最新の情報に定期的に更新でき、実行要求時のエラー発生を低減させることができる。
【００１６】
請求項５の発明は、請求項１乃至４いずれかにおいて、前記サービス要求機能部は、前記設備機器に対して実行要求を行う場合、当該実行要求に用いる付与識別子に対応するアドレス情報が前記記憶部に記憶されていなければ、前記収集機能部によって、オブジェクトの付与識別子と設備機器のアドレス情報との対応関係を設備機器から収集して、収集した付与識別子とアドレス情報との対応関係を前記記憶部に記憶させ、当該実行要求に用いる付与識別子に対応するアドレス情報が前記記憶部に記憶されていれば、当該アドレス情報に基づいた実行要求を行うことを特徴とする。
【００１７】
この発明によれば、記憶部に記憶されていない対応関係を必要なときに即座に取得することが可能となり、リアルタイム性の高いシステムとなる。
【００１８】
請求項６の発明は、請求項１乃至５いずれかにおいて、前記サービス要求機能部は、前記記憶部に記憶されているアドレス情報に基づいて設備機器に対して実行要求を行った場合に、要求先の設備機器にアクセスできなければ、当該アドレス情報を含む前記対応関係を記憶部から削除し、次に、前記収集機能部は、オブジェクトの付与識別子と設備機器のアドレス情報との対応関係を設備機器から収集することを特徴とする。
【００１９】
この発明によれば、設備機器の取替え等によって対応関係が変化し、実行要求時にエラーが発生した場合でも、最新の対応関係を即座に取得することが可能となる。
【００２０】
請求項７の発明は、請求項１乃至６いずれかにおいて、前記記憶部を備えた端末装置は、記憶部内の前記対応関係が変更された場合、当該変更された対応関係を他の端末装置へ通知し、記憶部を備えた他の端末装置は、記憶部内の対応関係を当該変更された対応関係に更新することを特徴とする。
【００２１】
この発明によれば、対応関係の変化を他の端末装置に通知することで、ネットワークシステム内の全ての端末装置で対応関係の変化情報を共有して、対応関係を同様に更新することができ、全ての端末装置において実行要求時のエラー発生を低減させることができる。
【００２２】
請求項８の発明は、請求項１乃至７いずれかにおいて、前記ネットワークは、複数のセグメントを有する構成であり、前記収集機能部は、同一セグメント上の設備機器からオブジェクトの付与識別子と設備機器のアドレス情報との対応関係を収集する際には、同一セグメント上の設備機器にマルチキャストによってアクセスし、異なるセグメント上の設備機器からオブジェクトの付与識別子と設備機器のアドレス情報との対応関係を収集する際には、異なるセグメント上の設備機器にユニキャストによってアクセスすることを特徴とする。
【００２３】
この発明によれば、複数のセグメントを有するマルチキャスト構成のネットワークであっても、請求項１乃至７と同様の効果を得ることができる。
【００２４】
請求項９の発明は、請求項１乃至８いずれかにおいて、前記記憶部は、記憶している前記対応関係のうち、通信に用いた最新の時点から一定時間が経過したアドレス情報を含む対応関係を記憶部から削除することを特徴とする。
【００２５】
この発明によれば、最終使用時間から一定時間が経過した確度の低い情報を用いることなく、古い対応関係を用いることによるエラー発生を防止できる。
【００２６】
請求項１０の発明は、請求項１乃至９いずれかにおいて、前記記憶部は、異なる付与識別子毎にアドレス情報を割り付けた前記対応関係を記憶することを特徴とする。
【００２７】
この発明によれば、収集した付与識別子とアドレス情報との対応関係をそのまま格納するので、記憶処理が容易となる。
【００３０】
請求項１１の発明は、請求項１乃至９いずれかにおいて、前記記憶部は、１つのオブジェクト固有識別子に対して１つのアドレス情報のみが対応している場合、オブジェクト固有識別子にアドレス情報のみを割り付けた前記対応関係を記憶し、１つのオブジェクト固有識別子に対して複数のアドレス情報が対応している場合、対応するインターフェース識別子の数が最も多いアドレス情報を含む前記対応関係は、オブジェクト固有識別子に当該アドレス情報のみを割り付けて記憶し、他のアドレス情報を含む前記対応関係は、オブジェクト固有識別子にインターフェース識別子および当該アドレス情報を割り付けて記憶することを特徴とする。
【００３１】
この発明によれば、記憶容量の低減を図ることができるとともに、同一のオブジェクト固有識別子を複数のオブジェクトに割り当てることが可能となる。
【発明の効果】
【００３２】
以上説明したように、本発明では、コネクションを維持することなく、設備機器と付与識別子との対応付けを行うことができ、設備機器と付与識別子との対応付けを用いる通信に必要なリソースを低減できるという効果がある。
【発明を実施するための最良の形態】
【００３３】
以下、本発明の実施の形態を図面に基づいて説明する。
【００３４】
（実施形態１）
図１は、本実施形態のネットワークシステムの構成を示し、設備機器１（図１中には、複数の設備機器１として設備機器１１〜１６を示している）、およびクライアント端末２が、端末装置としてネットワークＮＴ１（ローカルネットワーク）に接続している。ネットワークＮＴ１は、ルータ３（図１中には、ルータ３１，３２を示している）を介したセグメントＮＴ１ａ，ＮＴ１ｂからなるマルチセグメント構成となり、ルータ３１を介したセグメントＮＴ１ａには設備機器１１〜１４、およびクライアント端末２が属し、ルータ３１を介したセグメントＮＴ１ｂには設備機器１５，１６が属している。そして、ネットワークＮＴ１上の設備機器１１〜１６、クライアント端末２は、通信に先立ってコネクション（通信相手との経路）を確立する必要がない、所謂コネクションレス型プロトコルにより互いに通信を行う。
【００３５】
なお、上記マルチセグメント構成のネットワークでは、同一セグメント内の通信はマルチキャストによるアクセスが可能であるが、異なるセグメント間の通信はマルチキャストによるアクセスが不可能であるため、ユニキャストを用いる。
【００３６】
設備機器１は、照明のオン・オフ・調光制御を行う照明装置や、照明のオン・オフ・調光操作を行う照明用スイッチ装置等を構成し、例えば、照明用スイッチ装置を操作することで、照明装置がオン・オフ・調光制御を行う。そして、図２（ａ）に示すように、設備機器１は、通信部１ａと、対応関係記憶部１ｂと、対応関係収集機能部１ｃと、サービス要求機能部１ｄと、情報処理部１ｅと、サービス提供機能部１ｆとを備える。
【００３７】
通信部１ａは、各設備機器１に固有のアドレス情報を格納しており、このアドレス情報に基づいてコネクションレス型のプロトコルを用いたネットワーク通信を行う。このアドレス情報は、ＩＰアドレスや、例えば低速の専用線通信に用いるＭＡＣアドレス等で構成される。
【００３８】
サービス提供機能部１ｆは、各設備機器１が提供するサービスに応じて構成された制御対象であり、例えば、照明装置では、照明負荷の点灯、消灯や明るさを制御する点灯手段、照明用スイッチ装置では、スイッチ操作による操作情報を出力する信号処理手段等で構成される。
【００３９】
情報処理部１ｅは、本実施形態のネットワークシステムにおけるオブジェクトサーバ機能を実現するために、オブジェクトが含まれたソフトモジュール（以下、ＭＯＳ＜Micro Object Server＞と称す）が組み込まれており、サービス提供機能部１ｆに動作指示（動作制御）するための関数を与える処理、サービス提供機能部１ｆの現在状態を示す変数を取得する処理、さらにはサービス提供機能部１ｆの状態変化が発生したことを示すイベント情報を取得する処理を行う。
【００４０】
本実施形態のネットワークシステムを構築する各設備機器１は、サービス提供のための処理を行う際に用いる１乃至複数のオブジェクトを、情報処理部１ｅ内に組み込まれたＭＯＳに具備する。各オブジェクトは、サービス提供機能部１ｆが提供するサービスに対応する制御情報（変数、関数、イベント情報の組み合わせ）を定義した入出力定義（以下、インターフェースと称す）を１乃至複数具備し、各オブジェクトには、当該オブジェクトに固有に付与されたオブジェクト固有識別子（以下、ＯＩＤと称す）と、当該オブジェクトが具備する各インターフェースに付与されたインターフェース識別子（以下、ＩＩＤと称す）とで構成された付与識別子［ＯＩＤ＋ＩＩＤ］を付与されている。
【００４１】
そして、情報処理部１ｅは、付与識別子を用いた実行要求を受け取った場合、当該付与識別子を付与されているオブジェクトを実行することによって制御情報をサービス提供機能部１ｆに与える。
【００４２】
なお、提供サービスに対応する定義内容が同一のインターフェース、つまり同じＩＩＤを付与したインターフェースは複数のオブジェクト下に割り当てることが許されるものである。さらに、特定の設備機器１を指定することが必要の無いサービスでは、同一のＯＩＤを複数の設備機器１に割り当てることも可能である。
【００４３】
また、本実施形態のネットワークシステムにおけるプロトコルには、ＯＳＩ７階層モデルを用い、最上位階層のアプリケーション層としては、設備機器１の情報処理部１ｅのＭＯＳが他の端末装置との間で変数、イベント情報、関数の各情報の授受を行うための独自のオブジェクトアクセスプロトコル（Object  Access  Protocol＝ＯＡＰ）を用いている。
【００４４】
対応関係収集機能部１ｃは、他の設備機器１が有するオブジェクトの付与識別子とアドレス情報との対応関係を、他の端末装置からネットワークＮＴ１を介して収集する。
【００４５】
対応関係記憶部１ｂは、対応関係収集機能部１ｃが収集した他の設備機器１の付与識別子とアドレス情報との対応関係、および自己の付与識別子とアドレス情報との対応関係を記憶する。
【００４６】
サービス要求機能部１ｄは、対応関係記憶部１ｂに記憶されている付与識別子とアドレス情報との対応関係を参照して、付与識別子を用いた実行要求を他の設備機器１に対して行う。
【００４７】
次に、クライアント用端末２は、ネットワークシステム内の照明用スイッチの操作情報を取得して、ネットワークシステム内の照明制御を統合的に行うことができる統合コントローラ等を構成する。そして、図２（ｂ）に示すように、クライアント用端末２は、通信部２ａと、対応関係記憶部２ｂと、対応関係収集機能部２ｃと、サービス要求機能部２ｄとを備える。
【００４８】
通信部２ａは、各クライアント用端末２に固有のアドレス情報を格納しており、このアドレス情報に基づいてコネクションレス型のプロトコルを用いたネットワーク通信を行う。
【００４９】
対応関係収集機能部２ｃは、設備機器１が有するオブジェクトの付与識別子とアドレス情報との対応関係を、他の端末装置からネットワークＮＴ１を介して収集する。
【００５０】
対応関係記憶部２ｂは、対応関係収集機能部２ｃが収集した設備機器１の付与識別子とアドレス情報との対応関係を記憶する。
【００５１】
サービス要求機能部２ｄは、対応関係記憶部２ｂに記憶されている付与識別子とアドレス情報との対応関係を参照して、付与識別子を用いた実行要求を設備機器１に対して行う。
【００５２】
図３（ａ）（ｂ）（ｃ）は、対応関係記憶部１ｂ，２ｂに記憶される付与識別子とアドレス情報との対応関係テーブルＴＢの構造例としてＴＢａ，ＴＢｂ，ＴＢｃを各々示しており、本ネットワークシステムでは、対応関係テーブルＴＢとしてＴＢａ，ＴＢｂ，ＴＢｃのうちいずれか１つを用いる。
【００５３】
図３（ａ）の対応関係テーブルＴＢａは、付与識別子［ＯＩＤ＋ＩＩＤ］と、この付与識別子を具備する設備機器１のアドレス情報との組み合わせを格納している。したがって、収集した付与識別子とアドレス情報との対応関係をそのまま格納するので、記憶処理が容易となる。
【００５４】
図３（ｂ）の対応関係テーブルＴＢｂは、オブジェクト固有識別子［ＯＩＤ］と、このＯＩＤを具備する設備機器１のアドレス情報との組み合わせを格納している。この場合、１つのＯＩＤが複数のＩＩＤを有する場合でも、ＯＩＤのみの対応関係を記憶すればよく、記憶容量の低減を図ることができる。但し、この場合、同一のＯＩＤを複数の設備機器１に割り当てることは不可能となる。
【００５５】
図３（ｃ）の対応関係テーブルＴＢｃは、基本的に、オブジェクト固有識別子［ＯＩＤ］と、このＯＩＤを具備する設備機器１のアドレス情報との組み合わせを格納している。そして、複数の設備機器１に同一のＯＩＤを割り当てる形態に対応するため、既に格納されているＯＩＤとアドレス情報との組み合わせに対して、ＯＩＤが同一でアドレス情報が異なる組み合わせを新たに格納する場合は、付与識別子［ＯＩＤ＋ＩＩＤ］と、この付与識別子を具備する設備機器１のアドレス情報との組み合わせを新たに格納する。さらに、このようにＯＩＤが同一でアドレス情報が異なる複数の組み合わせのうち、当該アドレス情報に割り付けられているＩＩＤの数が最も多い組み合わせは、ＩＩＤを格納することなく（図３（ｃ）中の＊）、ＯＩＤとアドレス情報のみの組み合わせで格納し、他の組み合わせは、付与識別子［ＯＩＤ＋ＩＩＤ］とアドレス情報との組み合わせで格納する。
【００５６】
例えば、図３（ｃ）のＯＩＤ５には２つのアドレス情報６，７が対応付けられている。そして、アドレス情報６を有する設備機器１では、ＯＩＤ５に３つ以上のＩＩＤ（例えば、ＩＩＤ１，ＩＩＤ４，ＩＩＤ５，ＩＩＤ６）を組み合わせており、アドレス情報７を有する設備機器１では、ＯＩＤ５に２つのＩＩＤ（ＩＩＤ２，ＩＩＤ３）を組み合わせており、アドレス情報６に属するＩＩＤの数（３つ以上）がアドレス情報７に属するＩＩＤの数（２つ）より多い。したがって、ＯＩＤ５とアドレス情報６との組み合わせはＩＩＤを省略して格納され、ＯＩＤ５とアドレス情報７との組み合わせはＩＩＤを含めて格納される。
【００５７】
このように、上記対応関係テーブルＴＢｃを用いる場合には、同一のＯＩＤを複数の設備機器１に割り当てることが可能となる。さらに、ＯＩＤが同一でアドレス情報が異なる複数の組み合わせのうち、ＩＩＤの数が最も多い組み合わせを［ＯＩＤ＋アドレス情報］で記憶し、ＩＩＤの数が少ない組み合わせを［ＯＩＤ＋ＩＩＤ＋アドレス情報］で記憶することで、記憶容量の低減を図ることができる。このために、同一のＯＩＤを有する複数の組み合わせのうち、［ＯＩＤ＋アドレス情報］のパターンで記憶している組み合わせに対応するＩＩＤの数、および［ＯＩＤ＋ＩＩＤ＋アドレス情報］のパターンで記憶している組み合わせに対応するＩＩＤの数を各々記憶しておき、［ＯＩＤ＋ＩＩＤ＋アドレス情報］のパターンで記憶している組み合わせに対応するＩＩＤの数が、［ＯＩＤ＋アドレス情報］のパターンで記憶している組み合わせに対応するＩＩＤの数より多くなった場合には、［ＯＩＤ＋アドレス情報］のパターンで記憶している現状の組み合わせを［ＯＩＤ＋ＩＩＤ＋アドレス情報］のパターンで新たに記憶し、ＩＩＤの数が多くなった［ＯＩＤ＋ＩＩＤ＋アドレス情報］のパターンで記憶している組み合わせから［ＩＩＤ］を削除して［ＯＩＤ＋アドレス情報］のパターンで新たに記憶する。すなわち、ＩＩＤの数が多くなった組み合わせのアドレス情報を［ＯＩＤ＋アドレス情報］のパターンで記憶するアドレスに設定することで、記憶領域の最適化を図っている。
【００５８】
図４は、本ネットワークシステムにおいて、設備機器１の対応関係記憶部１ｂ内の情報（対応関係テーブルＴＢ）を更新して、実行要求を行うシーケンスを示す（なお、図４では、設備機器１１と同一セグメントにある設備機器１２，１３と、設備機器１１と異なるセグメントにある設備機器１５のみを示すが、システムの全体構成は図１と同様である）。
【００５９】
まず、設備機器１１において特定のオブジェクトに対する実行要求（特定の付与識別子を用いた実行要求）が発生した場合（Ｓ１）、設備機器１１のサービス要求機能部１ｄは、対応関係記憶部１ｂを参照して、この特定の付与識別子に対応するアドレス情報が記憶されていれば、このアドレスに対して特定の付与識別子を用いた実行要求（付与識別子対応サービス要求）を行う。
【００６０】
しかし、特定の付与識別子に対応するアドレス情報が対応関係記憶部１ｂに記憶されていなければ（Ｓ２）、対応関係収集機能部１ｃは、特定の付与識別子に対応するアドレス情報を設備機器１２〜１６に要求する（Ｓ３）。対応関係収集機能部１ｃは、設備機器１１と同一セグメントに接続されている設備機器１２〜１４に対してはマルチキャストで対応アドレス要求パケットを送信し（Ｓ４）、設備機器１１と異なるセグメントに接続されている設備機器１５，１６に対してはユニキャストで対応アドレス要求パケットを送信する（Ｓ５）。そして、特定のオブジェクトを具備する設備機器１３は、自己のアドレス情報を含む応答パケットを設備機器１１へ返信する（Ｓ６）。
【００６１】
応答パケットを受信した設備機器１１では、対応関係収集機能部１ｃが、特定の付与識別子に設備機器１３のアドレス情報を対応させて対応関係記憶部１ｂに記憶させることで、対応関係記憶部１ｂ内の対応関係テーブルＴＢを更新する（Ｓ７）。したがって、対応関係記憶部１ｂに記憶されていない対応関係を必要なときに即座に取得することが可能となり、リアルタイム性の高いシステムとなる。
【００６２】
ここで、対応関係テーブルＴＢとして、図３（ａ）の対応関係テーブルＴＢａを用いる場合、実行要求発生時（Ｓ１）の対応関係の確認は、特定のオブジェクトの付与識別子［ＯＩＤ＋ＩＩＤ］に対応するアドレス情報の検索を対応関係テーブルＴＢａ上で行う。また、応答パケットを受信した場合には（Ｓ６）、特定のオブジェクトの付与識別子［ＯＩＤ＋ＩＩＤ］と、応答パケットに含まれるアドレス情報とを対応付けて、対応関係テーブルＴＢａに格納する（Ｓ７）。
【００６３】
図３（ｂ）の対応関係テーブルＴＢｂを用いる場合、実行要求発生時（Ｓ１）の対応関係の確認は、特定のオブジェクトのオブジェクト固有識別子［ＯＩＤ］に対応するアドレス情報の検索を対応関係テーブルＴＢｂ上で行う。また、応答パケットを受信した場合には（Ｓ６）、特定のオブジェクトのオブジェクト固有識別子［ＯＩＤ］と、応答パケットに含まれるアドレス情報とを対応付けて、対応関係テーブルＴＢｂに格納する（Ｓ７）。
【００６４】
図３（ｃ）の対応関係テーブルＴＢｃを用いる場合、実行要求発生時（Ｓ１）の対応関係の確認は、特定のオブジェクトの付与識別子［ＯＩＤ＋ＩＩＤ］に対応するアドレス情報の検索を対応関係テーブルＴＢｃ上で行い、特定の付与識別子［ＯＩＤ＋ＩＩＤ］に対応するアドレス情報がない場合は、特定のオブジェクトのオブジェクト固有識別子［ＯＩＤ］に対応するアドレス情報の検索を対応関係テーブルＴＢｃ上で行う。
【００６５】
また、応答パケットを受信した場合には（Ｓ６）、特定のオブジェクトのオブジェクト固有識別子［ＯＩＤ］の情報が対応関係テーブルＴＢｃになければ、特定のオブジェクトのオブジェクト固有識別子［ＯＩＤ］と、応答パケットに含まれるアドレス情報とを対応付けて、対応関係テーブルＴＢｃに格納する（Ｓ７）。応答パケットを受信した場合に（Ｓ６）、特定のオブジェクトのオブジェクト固有識別子［ＯＩＤ］の情報が対応関係テーブルＴＢｃにあれば、応答パケットに含まれるアドレス情報が特定のオブジェクト固有識別子［ＯＩＤ］に既に対応付けられているか否かを判定し、既に対応付けられている場合は、対応関係テーブルＴＢｃを更新せずに処理を終了する。応答パケットに含まれるアドレス情報が特定のオブジェクト固有識別子［ＯＩＤ］にまだ対応付けられていない場合は、特定のオブジェクトの付与識別子［ＯＩＤ＋ＩＩＤ］と、応答パケットに含まれるアドレス情報とを対応付けて、対応関係テーブルＴＢｃに格納する（Ｓ７）。
【００６６】
そして、設備機器１１のサービス要求機能部１ｄは、更新された対応関係記憶部１ｂ内の特定の付与識別子に対応するアドレス情報を参照して、付与識別子を用いた実行要求を設備機器１３に対して行う（Ｓ８）。
【００６７】
設備機器１３の情報処理部１ｅは、付与識別子を用いた実行要求を受け取った場合、当該付与識別子を付与されているオブジェクトを実行することによって制御情報をサービス提供機能部１ｆに与え、サービス提供機能部１ｆを動作させる。なお、必要であれば、設備機器１３から設備機器１１へ動作確認を返信する（Ｓ９）。
【００６８】
以後、設備機器１１のサービス要求機能部１ｄは、対応関係記憶部１ｂ内の特定の付与識別子に対応するアドレス情報を参照して、当該付与識別子を用いた実行要求を設備機器１３に対して行うことができる（Ｓ１０〜Ｓ１２）。
【００６９】
このように、コネクションレス型のプロトコルを用いたネットワーク通信を行いながら、コネクションを維持することなく、各設備機器１が具備する付与識別子とアドレス情報との対応関係を作成、更新することで、当該対応付けを用いる通信に必要なリソースを低減できる。さらには、全ての端末装置（設備機器１、クライアント端末２）が、対応関係記憶部１ｂ，２ｂを備えることで、全端末装置がフラットに通信を行うため、システム要求への柔軟な対応が可能となる。
【００７０】
なお、上記シーケンスでは、設備機器１が実行要求を行い、対応関係記憶部１ｂ内の対応関係テーブルＴＢを更新する例を示したが、クライアント端末２が実行要求を行い、対応関係記憶部２ｂ内の対応関係テーブルＴＢを更新することも同様にできる。
【００７１】
また、端末装置（設備機器１、クライアント端末２）の対応関係記憶部１ｂ，２ｂ内の対応関係テーブルＴＢには、実行要求のあったオブジェクトに関する情報のみを記憶させることによって、記憶容量を最小化することができるが、ネットワークＮＴ１上の全ての端末装置が具備するオブジェクトに関する情報を記憶させる構成であってもよい。
【００７２】
（実施形態２）
本実施形態のネットワークシステムは、実施形態１と同様に図１〜図３の構成を備えており、実施形態１の動作に加えて、図５のシーケンスを行う。
【００７３】
まず、設備機器１１において特定のオブジェクトに対する実行要求（特定の付与識別子を用いた実行要求）が発生した場合（Ｓ２１）、設備機器１１のサービス要求機能部１ｄは、対応関係記憶部１ｂを参照して、この特定の付与識別子に対応するアドレス情報が記憶されていれば（Ｓ２２）、このアドレスに対して特定の付与識別子を用いた実行要求（付与識別子対応サービス要求）を行う（Ｓ２３）。
【００７４】
しかし、実行要求を行った後、無応答または通信異常によって対象の設備機器１から動作確認の返信が所定時間内になく、タイムアウトが発生した場合（すなわち、対象の設備機器１にアクセスできなかった場合）、設備機器１１のサービス要求機能部１ｄは、対応関係記憶部１ｂから当該要求に用いた情報を削除する（Ｓ２４）。したがって、設備機器１の取替え等によって対応関係が変化し、実行要求時にタイムアウトエラーが発生した場合でも、最新の対応関係を即座に取得することが可能となる。なお、この処理は、対象の設備機器１から動作確認の返信が必要な実行要求があった場合にのみ行われる。
【００７５】
そして、設備機器１１の対応関係収集機能部１ｃは、特定の付与識別子に対応するアドレス情報を設備機器１２〜１６に要求する（Ｓ２５）。対応関係収集機能部１ｃは、設備機器１１と同一セグメントに接続されている設備機器１２〜１４に対してはマルチキャストで対応アドレス要求パケットを送信し（Ｓ２６）、設備機器１１と異なるセグメントに接続されている設備機器１５，１６に対してはユニキャストで対応アドレス要求パケットを送信する（Ｓ２７）。そして、特定のオブジェクトを具備する設備機器１３は、自己のアドレス情報を含む応答パケットを設備機器１１へ返信する（Ｓ２８）。
【００７６】
応答パケットを受信した設備機器１１では、対応関係収集機能部１ｃが、特定の付与識別子に設備機器１３のアドレス情報を対応させて対応関係記憶部１ｂに記憶させることで、対応関係記憶部１ｂ内の対応関係テーブルＴＢを更新する（Ｓ２９）。
【００７７】
そして、設備機器１１のサービス要求機能部１ｄは、更新された対応関係記憶部１ｂ内の特定の付与識別子に対応するアドレス情報を参照して、特定の付与識別子を用いた実行要求を設備機器１３に対して行う（Ｓ３０）。
【００７８】
設備機器１３の情報処理部１ｅは、付与識別子を用いた実行要求を受け取った場合、当該付与識別子を付与されているオブジェクトを実行することによって制御情報をサービス提供機能部１ｆに与え、サービス提供機能部１ｆを動作させ、設備機器１３から設備機器１１へ動作確認を返信する（Ｓ３１）。
【００７９】
さらに、設備機器１１は、対応関係記憶部１ｂの更新情報を他の端末装置（設備機器１、クライアント端末２）に通知することで、ネットワークシステム内の全ての端末装置（設備機器１、クライアント端末２）の対応関係収集機能部１ｃ，２ｃが当該更新情報を収集して、全ての端末装置で対応関係の変化情報を共有でき、対応関係テーブルＴＢを同様に更新することができる（Ｓ３２）。この更新情報は、設備機器１１と同一セグメントに接続されている設備機器１２〜１４、クライアント端末２に対してはマルチキャストで送信され（Ｓ３３）、設備機器１１と異なるセグメントに接続されている設備機器１５，１６に対してはユニキャストで送信される（Ｓ３４）。
【００８０】
なお、上記シーケンスでは、設備機器１が実行要求を行い、対応関係記憶部１ｂ内の対応関係テーブルＴＢを更新する例を示したが、クライアント端末２が実行要求を行い、対応関係記憶部２ｂ内の対応関係テーブルＴＢを更新することも同様にできる。
【００８１】
このように、対応関係記憶部１ｃ、２ｂを有する端末装置（設備機器１、クライアント端末２）が、随時、対応関係テーブルＴＢを更新するが、この更新処理の際にこれから格納しようとする対応関係が既に格納されている場合には、書き換えを行わない方法や、上書きを行う方法があり、さらに更新処理には対応関係の削除も含まれる。
【００８２】
（実施形態３）
本実施形態のネットワークシステムは、実施形態１と同様に図１〜図３の構成を備えており、実施形態１の動作に加えて、図６のシーケンスを行う。
【００８３】
まず、設備機器１３が本ネットワークシステムに追加された場合、設備機器１３はその起動時に（Ｓ４１）、自己が具備する全てのオブジェクトの付与識別子のリストを、自己のアドレス情報とともに、対応関係記憶部１ｂ，２ｂを備える他の端末装置（設備機器１、クライアント端末２）へ送信する（Ｓ４２）。この情報は、設備機器１３と同一セグメントに接続されている設備機器１１，１２，１４、クライアント端末２に対してはマルチキャストで送信され（Ｓ４３）、設備機器１３と異なるセグメントに接続されている設備機器１５，１６に対してはユニキャストで送信される（Ｓ４４）。なお、設備機器１３は、他の端末装置の情報を対応関係記憶部１ｂに予め記憶している。
【００８４】
そして、他の端末装置（設備機器１、クライアント端末２）は、対応関係収集機能部１ｃ，２ｃによって、設備機器１３が具備する全てのオブジェクトの付与識別子、アドレス情報を収集し、収集したこれらの情報を対応関係記憶部１ｂ，２ｂに記憶させることで、新規に追加された設備機器１３の情報を反映し、実行要求時のエラー発生を低減させている（Ｓ４５）。
【００８５】
また、各端末装置（設備機器１、クライアント端末２）の対応関係収集機能部１ｃ，２ｃ（ここでは、設備機器１１を例示する）は、定期的に、全ての設備機器１から、各設備機器１が具備する全てのオブジェクトの付与識別子のリストをアドレス情報とともに収集する（Ｓ４６）。設備機器１１は、設備機器１１と同一セグメントに接続されている設備機器１２〜１４に対しては、識別子リストおよびアドレス送信要求をマルチキャストで送信し（Ｓ４７）、設備機器１１と異なるセグメントに接続されている設備機器１５，１６に対しては、識別子リストおよびアドレス送信要求をユニキャストで送信し（Ｓ５０）、識別子リストおよびアドレス送信要求を受信した各設備機器１は、自己が具備する全てのオブジェクトの付与識別子のリストをアドレス情報とともに、設備機器１１へ送信する（Ｓ４８，Ｓ４９，Ｓ５１）。
【００８６】
他の設備機器１２〜１６が具備する全てのオブジェクトの付与識別子、アドレス情報を収集した設備機器１１は、収集したこれらの情報を対応関係記憶部１ｂ内の情報と比較し、異なる情報があれば、収集した情報に変更することで、対応関係記憶部１ｂ内の対応関係を定期的に最新の対応関係テーブルＴＢに更新し（Ｓ５２）、実行要求時のエラー発生を低減させている。
【００８７】
この対応関係記憶部１ｂ内の情報更新は、対応関係記憶部１ｂ内に記憶されていない付与識別子に関する情報を収集した場合、当該収集した情報を破棄することで、対応関係記憶部１ｂに実行要求のあったオブジェクトに関する情報のみを記憶させる方式に対応できる。また、対応関係記憶部１ｂ内に記憶されていない付与識別子に関する情報を収集した場合、当該受信した情報を破棄することなく対応関係記憶部１ｂに記憶させることで、ネットワークＮＴ１上の全ての端末装置が具備するオブジェクトに関する情報を記憶させる方式に対応できる。
【００８８】
なお、図６では、各端末装置が識別子リストおよびアドレス送信要求を送信することで、当該要求を受信した各設備機器１が自己の情報を返信しているが、各設備機器１が、自己が具備する全てのオブジェクトの付与識別子、アドレス情報を、対応関係記憶部１ｂ，２ｂを備える他の端末装置に定期的に送信し、各端末装置（設備機器１、クライアント端末２）の対応関係収集機能部１ｃ，２ｃが当該情報を収集する構成でもよい。
【００８９】
また、各端末装置（設備機器１、クライアント端末２）は、対応関係記憶部１ｂ，２ｂに記憶している各情報に最終使用時間（ネットワーク経由の通信に用いた最新の時刻）を関連付けておき、最終使用時間から一定時間が経過した情報は削除する。したがって、削除された付与識別子を用いた実行要求を行う場合は、対応アドレス要求パケットを再度送信して、この付与識別子に対応するアドレス情報を収集することで、最終使用時間から一定時間が経過した確度の低い情報を用いることなく、古い対応関係を用いることによるエラー発生を防止し、最新の情報に基づいた実行要求を行うことができる。
【００９０】
（実施形態４）
実施形態１乃至３では、全ての端末装置（設備機器１、クライアント端末２）が対応関係記憶部１ｂ，２ｂを備える構成であったが、本実施形態のネットワークシステムでは、代表設備機器のみが対応関係記憶部を備え、代表設備機器に付与識別子とアドレス情報との対応関係を管理させて、他の設備機器１およびクライアント端末２は、代表設備機器のアドレス情報を保持する構成とする。
【００９１】
図１のシステム構成において、設備機器１１を代表設備機器とした場合、設備機器１１は、実施形態１と同様に図２（ａ）の構成を備えており、説明は省略する。
【００９２】
他の設備機器１２〜１６は、図７（ａ）の構成を備え、通信部１ａと、サービス要求機能部１ｄと、情報処理部１ｅと、サービス提供機能部１ｆと、アドレス記憶部１ｇとを備え、アドレス記憶部１ｇには、代表設備機器である設備機器１１のアドレス情報が記憶されている。
【００９３】
クライアント端末２は、図７（ｂ）の構成を備え、通信部２ａと、サービス要求機能部２ｄと、アドレス記憶部２ｅとを備え、アドレス記憶部２ｅには、代表設備機器である設備機器１１のアドレス情報が記憶されている。
【００９４】
図８は、本ネットワークシステムにおいて、設備機器１１の対応関係記憶部１ｂ内の情報（対応関係テーブルＴＢ）を更新して、クライアント端末２が実行要求を行うシーケンスを示す（なお、図８では、設備機器１１と同一セグメントにある設備機器１２，１３と、設備機器１１と異なるセグメントにある設備機器１５のみを示すが、システムの全体構成は図１と同様である）。
【００９５】
まず、クライアント端末２において特定のオブジェクトに対する実行要求（特定の付与識別子を用いた実行要求）が発生した場合（Ｓ６１）、クライアント端末２のサービス要求機能部２ｄは、アドレス記憶部２ｅを参照して、代表設備機器である設備機器１１へ、特定の付与識別子に対応するアドレス情報を要求する（Ｓ６２）。
【００９６】
設備機器１１は、対応関係記憶部１ｂを参照して、特定の付与識別子に対応するアドレス情報が対応関係記憶部１ｂに記憶されていなければ（Ｓ６３）、対応関係収集機能部１ｃが、特定の付与識別子に対応するアドレス情報を設備機器１２〜１６に要求する（Ｓ６４）。対応関係収集機能部１ｃは、設備機器１１と同一セグメントに接続されている設備機器１２〜１４に対してはマルチキャストで対応アドレス要求パケットを送信し（Ｓ６５）、設備機器１１と異なるセグメントに接続されている設備機器１５，１６に対してはユニキャストで対応アドレス要求パケットを送信する（Ｓ６６）。そして、特定のオブジェクトを具備する設備機器１３は、自己のアドレス情報を含む応答パケットを設備機器１１へ返信する（Ｓ６７）。
【００９７】
応答パケットを受信した設備機器１１では、対応関係収集機能部１ｃが、特定の付与識別子に設備機器１３のアドレス情報を対応させて対応関係記憶部１ｂに記憶させることで、対応関係記憶部１ｂ内の対応関係テーブルＴＢを更新する（Ｓ６８）。
【００９８】
そして、設備機器１１のサービス要求機能部１ｄは、更新された対応関係記憶部１ｂ内の特定の付与識別子に対応するアドレス情報を参照して、特定の付与識別子を用いた実行要求を設備機器１３に対して行う（Ｓ６９）。
【００９９】
設備機器１３の情報処理部１ｅは、付与識別子を用いた実行要求を受け取った場合、当該付与識別子を付与されているオブジェクトを実行することによって制御情報をサービス提供機能部１ｆに与え、サービス提供機能部１ｆを動作させる（Ｓ７０）。なお、必要であれば、設備機器１３から設備機器１１を介してクライアント端末２へ動作確認を返信する（Ｓ７１）。
【０１００】
以後、クライアント端末２において特定のオブジェクトに対する実行要求（特定の付与識別子を用いた実行要求）が発生して（Ｓ７２）、クライアント端末２のサービス要求機能部２ｄが、設備機器１１へ特定の付与識別子に対応するアドレス情報を要求した場合（Ｓ７３）、設備機器１１の対応関係記憶部１ｂには特定の付与識別子に対応するアドレス情報が記憶されている（Ｓ７４）。
【０１０１】
そこで、設備機器１１は、特定の付与識別子に対応するアドレス情報をクライアント端末２へ送信し（Ｓ７５）、クライアント端末２は、受信したアドレス情報に基づいて、特定の付与識別子を用いた実行要求を設備機器１３に対して行い（Ｓ７６）、設備機器１３の情報処理部１ｅは、サービス提供機能部１ｆを動作させる（Ｓ７７）。
【０１０２】
また、Ｓ７４〜Ｓ７７の処理は、設備機器１１の対応関係記憶部１ｂに特定の付与識別子に対応するアドレス情報が記憶されている場合、設備機器１１が、設備機器１３へ実行要求を直接送信し、設備機器１３での動作確認を設備機器１１を介してクライアント端末２へ返信する構成でもよい。
【０１０３】
このように、代表設備機器である設備機器１１のみに対応関係記憶部を備え、他の設備機器１およびクライアント端末２は、その代表設備機器のアドレス情報を保持して、代表設備機器に付与識別子とアドレス情報との対応関係を管理させることで、他の設備機器１およびクライアント端末２は、記憶容量を低減することができ、低コスト化を図ることができる。さらには、対応情報が代表設備機器に集約されるので、対応関係の設定等が容易となる。
【０１０４】
（実施形態５）
実施形態１乃至４では、図９（ａ）に示すように、コネクションレス型プロトコルを用いるネットワークＮＴ１（ローカルネットワーク）に設備機器１、クライアント端末２が接続されている。設備機器１は、照明のオン・オフ・調光制御を行う照明装置や、照明のオン・オフ・調光操作を行う照明用スイッチ装置等を構成し、例えば、照明用スイッチ装置を操作することで、照明装置がオン・オフ・調光制御を行う。クライアント用端末２は、ネットワークシステム内の照明用スイッチの操作情報を取得して、ネットワークシステム内の照明制御を統合的に行うことができる統合コントローラ等を構成する。
【０１０５】
本実施形態は、図９（ｂ）に示すように、実施形態１乃至４と同様のネットワークＮＴ１にゲートウェイＧＷを介してネットワークＮＴ２を接続し、ネットワークＮＴ２に設備機器４、クライアント端末５、センターサーバ６を接続した単一のシステムとして構成される。なお、本実施形態における端末装置は、設備機器１，４、クライアント端末２，５、センターサーバ６で構成される。
【０１０６】
ネットワークＮＴ２では、通信に先立ってコネクション（通信相手との経路）を確立する必要がある、所謂コネクション型プロトコルにより互いに通信を行う。コネクション型プロトコルでは、センターサーバ３に後述するオブジェクトアクセスサーバ（以下、ＯＡＳと称す）の機能を搭載しており、各設備機器４、クライアント端末５が、ＯＡＳを用いて、ネットワークＮＴ２にコネクションを確立することにより、各端末装置の接続情報に基づいた通信が可能となる。具体的には、ネットワークＮＴ２が、インターネットプロトコルを用いたシステムである場合、ＴＣＰ／ＩＰを用いて各端末装置がコネクションを確立する。
【０１０７】
上述のＯＡＳは、ネットワークの繋がり方を隠すためのオブジェクト・ルータとしての機能を実現するソフトと、さらに設備機器４が具備するオブジェクトの入出力定義（インターフェースという）にアクセスすることで、当該設備機器４が提供するサービスをクライアント用端末５が享受するために実行される各種アプリケションソフト、さらに異種のプロトコルを変換してネットワークシステムにシームレスに繋ぐためのプロトコル・ブリッジサービスや、ＯＡＳ間のプロトコルをＳＯＡＰ（Simple Object Access Protocol）に変換してファイヤーウォールを通過させるためのファイヤーウォール・ブリッジ・サービス等の追加可能なサービス機能を実現するソフトから構成される。
【０１０８】
設備機器４は、機器を遠隔操作するリモートコントロール端末や、施錠装置等のセキュリティ端末で構成され、センターサーバ６を通じたアラーム通知、機器制御が行われる。
【０１０９】
クライアント端末５は、ブラウザを搭載したパーソナルコンピュータ等で構成され、ＨＴＴＰを用いてセンターサーバ６にアクセスすることによって設備機器４と間で通信を行う。
【０１１０】
ゲートウェイＧＷは、コネクションレス型のプロトコルを用いたネットワークＮＴ１で用いる対応関係テーブルＴＢと、コネクション型のプロトコルを用いたネットワークＮＴ２にアクセスするための接続情報との両方を具備し、この両方の情報を参照することによって、適切にルーティングを行って、ネットワークＮＴ１，ＮＴ２間のアクセスを可能にしている。
【０１１１】
そして、ネットワークＮＴ２上のクライアント端末５からネットワークＮＴ１上の設備機器１を制御するためには、クライアント端末５のブラウザ機能によってセンターサーバ６にアクセスし、センターサーバ６が、コネクションを通じてゲートウェイＧＷと通信を行い、ゲートウェイＧＷが、ネットワークＮＴ１上に制御対象があることを対応関係テーブルＴＢを参照して確認し、コネクションレス型プロトコルを用いて制御対象の設備機器１に制御パケットを送信する。
【０１１２】
また、ネットワークＮＴ１上のクライアント端末２からネットワークＮＴ２上の設備機器４を制御するためには、クライアント端末２からゲートウェイＧＷへ制御パケットを送信し、ゲートウェイＧＷが、コネクション型のネットワークＮＴ２の接続情報を用いて制御パケットをコネクション型プロトコルに変換して設備機器４へ送信する。
【図面の簡単な説明】
【０１１３】
【図１】実施形態１のネットワークシステムの構成を示す図である。
【図２】同上の各構成を示す図であり、（ａ）は設備機器、（ｂ）はクライアント端末の構成を示す。
【図３】（ａ）（ｂ）（ｃ）対応関係テーブルの構造例を示す図である。
【図４】同上の動作シーケンスを示す図である。
【図５】実施形態２の動作シーケンスを示す図である。
【図６】実施形態３の動作シーケンスを示す図である。
【図７】実施形態４の各構成を示す図であり、（ａ）は設備機器、（ｂ）はクライアント端末の各構成を示す。
【図８】同上の動作シーケンスを示す図である。
【図９】（ａ）（ｂ）実施形態５のネットワークシステムの構成を示す図である。
【符号の説明】
【０１１４】
１  設備機器
１ｂ  対応関係記憶部
１ｃ  対応関係収集機能部
１ｄ  サービス要求機能部
１ｅ  情報処理部
１ｆ  サービス提供機能部
２  クライアント端末
３  ルータ
ＮＴ１  ネットワーク
【図１】
0005174401.tif 000002
【図２】
0005174401.tif 000003
【図３】
0005174401.tif 000004
【図４】
0005174401.tif 000005
【図５】
0005174401.tif 000006
【図６】
0005174401.tif 000007
【図７】
0005174401.tif 000008
【図８】
0005174401.tif 000009
【図９】
0005174401.tif 000010